【手続補正書】
【提出日】平成29年11月28日(2017.11.28)
【手続補正１】
【補正対象書類名】特許請求の範囲
【補正対象項目名】全文
【補正方法】変更
【補正の内容】
【特許請求の範囲】
【請求項１】
デバイス構成のための方法であって、前記デバイスが、ステーションモードで機能する方法であり、
検出されたアクセスポイントのいずれか１つに前記デバイスを接続することができないと判断された場合に、前記デバイスの動作をアクセスポイントモードに変更することと、
前記アクセスポイントモードで動作している前記デバイスに制御装置を接続するための情報を含む信号を出力すること
を含む、方法。
【請求項２】
検出されたアクセスポイントのいずれか１つに前記デバイスを接続できるかどうかを判断すること
をさらに含む、請求項１に記載の方法。
【請求項３】
前記判断することが、
少なくとも１つの格納された構成アイテムを得ることであって、構成アイテムが、アクセスポイントに接続するために使用される、得ることと、
アクセスポイントに接続するために、前記少なくとも１つの格納された構成アイテムを使用することと、
前記少なくとも１つの格納された構成アイテムを前記検出されたアクセスポイントに接続するために使用できるかどうかを判断することと
をさらに含む、請求項２に記載の方法。
【請求項４】
前記制御装置との接続を確立することと、
アクセスポイントに対する構成パラメータを受信することと、
前記構成パラメータを構成アイテムとして格納することと、
前記ステーションモードに変更することと
をさらに含む、請求項１〜３のいずれか一項に記載の方法。
【請求項５】
接続インタフェースモジュールと、制御モジュールと、ディスプレイインタフェースモジュールとを含む、デバイス構成のためのデバイスであって、
前記接続インタフェースモジュールが、ステーションモードで機能するように構成され、
前記制御モジュールが、検出されたアクセスポイントのいずれか１つに前記接続インタフェースモジュールを接続することができないと判断された場合に、前記接続インタフェースモジュールをアクセスポイントモードに変更するように構成され、
前記ディスプレイインタフェースモジュールが、前記アクセスポイントモードの前記接続インタフェースモジュールに制御装置を接続するための情報を含む信号を出力するように構成される、デバイス。
【請求項６】
検出されたアクセスポイントのいずれか１つに前記接続インタフェースモジュールを接続できるかどうかを判断するように構成された状態マネージャ
をさらに含む、請求項５に記載のデバイス。
【請求項７】
少なくとも１つの構成アイテムを格納するように構成されたメモリであって、構成アイテムが、アクセスポイントに接続するために使用される、メモリ
をさらに含み、
前記状態マネージャが、前記メモリから前記少なくとも１つの構成アイテムを得て、前記アクセスポイントに接続するために、前記少なくとも１つの構成アイテムを使用し、前記少なくとも１つの構成アイテムを前記アクセスポイントに接続するために使用できるかどうかを判断するようにさらに構成される、請求項６に記載のデバイス。
【請求項８】
前記接続インタフェースモジュールが、前記制御装置との接続を確立するようにさらに構成され、
前記状態マネージャが、アクセスポイントに対する構成パラメータを受信し、前記構成パラメータを構成アイテムとして前記メモリに格納するようにさらに構成され、
前記制御モジュールが、前記ステーションモードに変更するようにさらに構成される、請求項５または６に記載のデバイス。
【請求項９】
通信ネットワークからダウンロード可能な、および／または、コンピュータによって読み取り可能な媒体上に記録された、および／または、プロセッサによって実行可能なコンピュータプログラム製品であって、請求項１〜４のいずれか一項に記載の方法のステップを実装するためのプログラムコード命令を含む、コンピュータプログラム製品。
【請求項１０】
請求項１〜４のいずれか一項に記載の方法のステップを実装するためのプログラムコード命令を含むコンピュータプログラム製品を含む、非一時的なコンピュータ可読媒体。
【手続補正２】
【補正対象書類名】明細書
【補正対象項目名】００３７
【補正方法】変更
【補正の内容】
【００３７】
多くの実装形態について説明してきた。それにもかかわらず、様々な変更を行えることが理解されよう。例えば、他の実装形態を生成するために、異なる実装形態の要素を組み合わせることも、補足することも、変更することも、除去することもできる。それに加えて、当業者は、開示されるものの代わりに、他の構造およびプロセスを代用することができ、結果として得られる実装形態は、開示される実装形態と少なくとも実質的に同じ結果を達成するために、少なくとも実質的に同じ方法で、少なくとも実質的に同じ機能を実行することを理解するであろう。それに従って、これらのおよび他の実装形態は、この出願によって企図され、添付の請求項によって定義されるように本発明の範囲内である。
［付記１］
デバイス構成のための方法であって、デバイス側で、
ＳＴＡモードで機能すること（４０２）と、
検出されたＡＰデバイスのいずれか１つに前記デバイスを接続することができないと判断された場合に、ＡＰモードに変更すること（４０６）と
を含む、方法。
［付記２］
検出されたＡＰデバイスのいずれか１つに前記デバイスを接続できるかどうかを判断すること
をさらに含む、付記１に記載の方法。
［付記３］
前記判断することが、
少なくとも１つの格納された構成アイテムを得ることであって、構成アイテムが、ＡＰデバイスに接続するために使用される、得ることと、
前記検出されたＡＰデバイスに接続するために、前記少なくとも１つの格納された構成アイテムを使用することと、
前記少なくとも１つの格納された構成アイテムのうちの１つを前記検出されたＡＰデバイスのうちの１つに接続するために使用できるかどうかを判断することと
をさらに含む、付記２に記載の方法。
［付記４］
ＡＰモードの前記デバイスに制御デバイスを接続するための情報を含む信号を出力すること
をさらに含む、付記１に記載の方法。
［付記５］
制御デバイスとの接続を確立することと、
ＡＰデバイスに対する構成パラメータを受信することと、
前記構成パラメータを構成アイテムとして格納することと、
ＳＴＡモードに変更することと
をさらに含む、付記１に記載の方法。
［付記６］
デバイス構成のためのデバイスであって、
ＳＴＡモードで機能するように構成された接続インタフェースモジュール（２０１）と、
検出されたＡＰデバイスのいずれか１つに前記接続インタフェースモジュール（２０１）を接続することができないと判断された場合に、前記接続インタフェースモジュール（２０１）をＡＰモードに変更するように構成された制御モジュール（３０２）と
を含む、デバイス。
［付記７］
検出されたＡＰデバイスのいずれか１つに前記接続インタフェースモジュール（２０１）を接続できるかどうかを判断するように構成された状態マネージャ（３０１）
をさらに含む、付記６に記載のデバイス。
［付記８］
少なくとも１つの構成アイテムを格納するように構成されたメモリ（２０３）であって、構成アイテムが、ＡＰデバイスに接続するために使用される、メモリ（２０３）
をさらに含み、
前記状態マネージャ（３０１）が、前記メモリ（２０３）から前記少なくとも１つの構成アイテムを得て、前記検出されたＡＰデバイスに接続するために、前記少なくとも１つの構成アイテムを使用し、前記少なくとも１つの構成アイテムのうちの１つを前記検出されたＡＰデバイスのうちの１つに接続するために使用できるかどうかを判断するようにさらに構成される、付記７に記載のデバイス。
［付記９］
ＡＰモードの前記接続インタフェースモジュール（２０１）に制御デバイスを接続するための情報を含む信号を出力するように構成されたディスプレイインタフェースモジュール（２０４）
をさらに含む、付記６に記載のデバイス。
［付記１０］
前記接続インタフェースモジュール（２０１）が、制御デバイスとの接続を確立するようにさらに構成され、
前記状態マネージャ（３０１）が、ＡＰデバイスに対する構成パラメータを受信し、前記構成パラメータを構成アイテムとして前記メモリ（２０３）に格納するようにさらに構成され、
前記制御モジュール（３０２）が、ＳＴＡモードに変更するようにさらに構成される、付記６に記載のデバイス。